(57)【要約】【課題】商品陳列棚の下面側に配置するライン型ＬＥＤ灯を樹脂製の簡易なランプホルダーを介して架設し、併せてライン型ＬＥＤ灯の取付角度を所望の向きに可変調整できるよう改良したショーケースの棚照明装置を提供する。【解決手段】外形形状が角形になるライン型ＬＥＤ灯１０を光源として、該ライン型ＬＥＤ灯をランプホルダー１１を介して商品陳列棚５の下面側に架設したショーケースの棚照明装置において、前記ランプホルダー１１が周上の一部を切欠いたＣ形リング体１１ａにクリップ部１１ｂを設けた樹脂成形品になり、左右に並べて商品陳列棚５に前記クリップ部１１ｂを介して固定した一対のランプホルダー１１の間に跨がり、そのＣ形リング体１１ａにライン型ＬＥＤ灯１０を嵌挿して所定位置に架設する。さらに、前記Ｃ形リング体１１ａの内周面にはライン型ＬＥＤ灯１０の輪郭角部が係合するノッチ溝列１１ｃを形成してライン型ＬＥＤ灯１０の取付角度を所望の角度に調整できるようにする。【選択図】        図１
2010158337.tif 000002
【特許請求の範囲】
【請求項１】
ライン型ＬＥＤ灯を光源として、該ライン型ＬＥＤ灯をランプホルダーを介して商品陳列棚の下面側に架設したショーケースの棚照明装置あって、前記ライン型ＬＥＤ灯がヒートシンクを兼ねた長尺の角形フレームに複数のＬＥＤ素子をアレイ状に配列したＬＥＤモジュール，および透光性の前面カバーを搭載した構造になるものにおいて、
前記ランプホルダーが周上の一部を切欠いたＣ形リング体にクリップ部を設けた樹脂成形品になり、左右に並べて商品陳列棚に前記クリップ部を介して結合した一対のランプホルダーの間に跨がり、そのＣ形リング体にライン型ＬＥＤ灯を嵌挿して所定位置に架設把持したことを特徴とするショーケースの棚照明装置。
【請求項２】
請求項１に記載の棚照明装置において、ランプホルダーのＣ形リング体は、ライン型ＬＥＤ灯の輪郭に外接して把持するよう径寸法を設定した上で、その内周面に沿ってライン型ＬＥＤ灯の外形角部が嵌入するノッチ溝列を形成したことを特徴とするショーケースの棚照明装置。
【発明の詳細な説明】
【技術分野】
【０００１】
この発明は、ライン型のＬＥＤ灯を光源とする多段形ショーケースの棚照明装置に関し、詳しくはライン型ＬＥＤ灯を庫内に配した商品陳列棚の下面に架設するランプホルダーの構造に係わる。
【背景技術】
【０００２】
周知のように従来のショーケースにおいては、庫内照明灯として直管型の蛍光灯を用い、この蛍光灯を上下段に並ぶ商品陳列棚の下面側に架設して一段下の棚に陳列した商品を上方から照明するようにしている。
次に、蛍光灯を採用した多段形ショーケースの棚照明装置を図３，図４に示す。まず、図３において、１は前面開放形本体ケースの外箱、２は内箱、３は冷却器、４は庫内ファンで、庫内には上下段に並べて商品陳列棚５が設置されており、かつ各段の商品陳列棚５ごとに、棚板の下面側に直管型の蛍光灯６を配置して一段下の商品陳列棚５に並べた商品を照明するようにしている。
【０００３】
ここで、蛍光灯６を商品陳列棚５の下面側に架設支持するためには、図４（ａ），（ｂ）で示すように蛍光灯管の両端に嵌め込んで把持する一対のランプホルダー７を用いて商品陳列棚５に架設する方法が広く採用されている。このランプホルダー７は、周上の一部を切欠いた樹脂製のＣ形リングにクリップ部７ａ（スナップフィット）を設けた形状になり、前記クリップ部７ａを商品陳列棚の裏面側に設けた断面Ｖ形になる補強ブラケット５ａの穴に差し込んで係止固定している。なお、図４において、８は蛍光灯６のガラス管に被せた透明樹脂の保護管、９は蛍光灯５を電源に接続する配線用ソケットである。
【０００４】
一方、近年になり、省エネ指向から照明光源として、蛍光灯の代わり高輝度で消費電力の少ないＬＥＤ（発光ダイオード）を用いたＬＥＤ灯の採用が普及化する傾向にあり、複数のＬＥＤ素子をアレイ状に配列したライン型ＬＥＤなど、各種タイプのものが市場に展開している。
図５（ａ）〜（ｃ）は上記ライン型ＬＥＤ灯の一例であり、該ライン型ＬＥＤ灯１０はヒートシンクを兼ねた長尺な角形フレーム（アルミ板）１０ａに、複数のＬＥＤ素子１０ｃをアレイ状に配列したＬＥＤモジュール１０ｂ、およびその前面を覆う樹脂製の透光カバー（レンズ）１０ｄを搭載した上で、配線用コネクタ１０ｅを接続した組立構造になる。なお、フレーム１０ａの両端には取付ネジ座１０ａ−１，１０ａ−２を備えている。そのほか、前記フレーム１０ａをその周面に放熱フィンを形成したチャンネル形（アルミダイキャスト品）として構成し、その内部にＬＥＤモジュール１０ｂを配置した上で、フレームの前面に透光カバー（レンズ）を配した構造のライン型ＬＥＤ灯も知られている（例えば、特許文献１）。
【０００５】
そして、このライン型ＬＥＤ灯１０を、図３に示した棚照明用の蛍光灯６に代えてショーケースの商品陳列棚５に配備するには、例えば図４に示した補強ブラケット５ａの前面（斜面面）にライン型ＬＥＤ灯１０を重ねて配置し、図５に示したフレーム１０ａの両端に設けた取付ネジ座１０ａ−１，１０ａ−２を補強ブラケット５ａに直接ネジ締結して所定位置に固定するようにしている。
【０００６】
ところで、よく知られているようにＬＥＤ素子の配光性は、他の光源に比べて指向性が高い特長がある。一方、多段形ショーケースでは、図６のように上下段に並ぶ商品陳列棚５−１〜５−４は段位置によって取付角度（前傾角），棚板の奥行き寸法が異なり、かつ各段の棚に並べる商品は種類，サイズ，陳列の仕方も異なる。したがって、陳列商品の照明効果を高めるには、図示のように所望の照明位置に向けてライン型ＬＥＤ灯１０の照射角度を調整することが望まれるが、前記のようにライン型ＬＥＤ灯１０を商品陳列棚５に直接ネジ締結して固定した従来の取付け構造のままでは、照射角度を調整することができない。
【０００７】
そこで、このような角度調整対策として、ライン型ＬＥＤ灯１０のハウジングの左右両端に設けた回転軸体を介してショーケースの左右側壁に配したブラケットの間に架設し、ユーザーが必要に応じてライン型ＬＥＤ灯１０の取付角度を調整できるようにしたショーケースの棚照明装置が知られている（例えば、特許文献２参照）。
【特許文献１】特開２００７−２６７２３号公報
【特許文献２】特開２００８−２０６７５８号公報
【発明の開示】
【発明が解決しようとする課題】
【０００８】
ところで、前記の特許文献２に開示されているライン型ＬＥＤ灯の角度調整機構は構造が複雑で組立部品点数も多くてコスト高になる問題がある。
そのほか、ライン型ＬＥＤ灯の左右両端をショーケースの側壁に設けたブラケットに回転軸体を介して連結していることから、ショーケースの間口幅に対応した長さ寸法のライン型ＬＥＤ灯が必要となる。しかも、現在は市場で入手可能なライン型ＬＥＤ灯は大型のものでも長さが高々１ｍ程度であり、このために大形店舗で使用する間口幅の広い大型ショーケースには対応できない。
【０００９】
この発明は、上記の点に鑑みなされたものであり、その目的は直管形の蛍光灯を商品陳列棚の下面側に架設する際に使用している従来のランプホルダーと略同様に、簡易な構造で，かつコスト的にも安価に入手できる樹脂製のホルダーを使用してライン型ＬＥＤ灯を架設し、さらにライン型ＬＥＤ灯の取付角度を簡単な操作で所望の向きに可変調整できるように改良したショーケースの棚照明装置を提供することにある。
【課題を解決するための手段】
【００１０】
上記目的を達成するために、この発明によれば、ライン型ＬＥＤ灯を光源として、該ライン型ＬＥＤ灯をランプホルダーを介して商品陳列棚の下面側に架設したショーケースの棚照明装置で、前記ライン型ＬＥＤ灯がヒートシンクを兼ねた長尺の角形フレームに複数のＬＥＤ素子をアレイ状に配列したＬＥＤモジュール，および透光性の前面カバーを搭載した構造になるものにおいて、
前記ランプホルダーが周上の一部を切欠いたＣ形リング体にクリップ部を設けた樹脂成形品になり、左右に並べて商品陳列棚に前記クリップ部を介して結合した一対のランプホルダーの間に跨がり、そのＣ形リング体にライン型ＬＥＤ灯を嵌挿して所定位置に架設保持する（請求項１）。
【００１１】
また、前記ランプホルダーのＣ形リング体は、ライン形ＬＥＤ灯の輪郭に外接して把持するよう径寸法を設定した上で、その内周面に沿ってライン型ＬＥＤ灯の外形角部が係合するノッチ溝列を形成する（請求項２）。
【発明の効果】
【００１２】
上記のランプホルダーを用いることにより、直管型蛍光灯と同様な方法でライン型ＬＥＤ灯を商品陳列棚の下面に簡単に架設することができる。しかも、この樹脂製のランプホルダーは簡単な部品でコストも安く、先記の特許文献２に開示されている回転軸体を付設した角度調整機構に比べて構造が簡単で部品点数も少なくて済むほか、ショーケースの間口幅に制約されることなく短尺なライン型ＬＥＤ灯を左右に並べて架設することもできる。
【００１３】
また、前記ランプホルダーのＣ形リング体の内周にノッチ溝列を形成しておくことにより、該ホルダーに嵌挿して把持したライン型ＬＥＤ灯の取付角度を簡単に所望の向きに調整でき、これによりショーケースの商品陳列棚に並べた商品の陳列状況に応じてアピール性の高い照明効果を発揮することができる。
【発明を実施するための最良の形態】
【００１４】
以下、この発明の実施の形態を図１，図２に示す実施例に基づいて説明する。なお、図１（ａ）はランプホルダーを商品陳列棚に取付けた状態の配置図、（ｂ）はランプホルダーの形状図、図２（ａ），（ｂ）はそれぞれランプホルダーに架設したライン型ＬＥＤ灯の取付角度を異なる角度に調整した状態図である。
図示実施例のランプホルダー１１は、図４に示した直管形蛍光灯の架設用ランプホルダー７と基本的に同じ形状で、ポリカーボネート樹脂などのエンジニアリングプラスチックの樹脂成形品になるＣ形リング体１１ａの周上にはスナップフィット式のクリップ部１１ｂが形成されており、これに加えてＣ形リング体１１ａの内周面には、その周方向に沿ってライン型ＬＥＤ灯１０の外形角部（エッジ）が嵌入するノッチ溝列１１ｃが形成されている。なお、Ｃ形リング体１１ａの径寸法はライン型ＬＥＤ灯１０の外形に対応し、その断面外形の対角寸法よりも一回り小径に定めている。
【００１５】
そして、上記したランプホルダー１１の一対を左右に配し、そのクリップ部１１ｂを商品陳列棚５の補強ブラケット５ａにあらかじめ穿孔しておいた穴に差し込んで固定した状態で（図１（ａ）参照）、ライン型ＬＥＤ灯１０の両端部をランプホルダー１１のＣ形リング体１１ａに嵌挿すると、図示のようにライン型ＬＥＤ灯１０の外形角部が前記したノッチ溝列１１ｃに嵌合してこの位置に係止保持される。また、この位置で図２（ａ），（ｂ）で表すようにライン型ＬＥＤ灯１０をＣ形リング体１１ａのノッチ溝列１１ｃに沿って自転方向に回すとライン型ＬＥＤ灯１０の取付角度が変わり、これに合わせて点線で表すＬＥＤ光の照射角度が変化する。同時にライン型ＬＥＤ灯１０は新たな取付角度の位置に係止保持される。
【００１６】
つまり、図１（ａ）に示したライン型ＬＥＤ灯１０の架設状態で、その取付角度を変えることにより、図６で述べたように各段の商品陳列棚５ごとにＬＥＤ光を所望の照射角度に調整することができる。
【図面の簡単な説明】
【００１７】
【図１】この発明の実施例による棚照明装置の構成図で、（ａ）はランプホルダーを商品陳列棚の下面側に固定した状態図、（ｂ）はランプホルダーの形状図
【図２】ライン型ＬＥＤ灯の取付角度調整の説明図で、（ａ），（ｂ）はそれぞれライン型ＬＥＤ灯を異なる取付角度位置に保持した状態を表す図
【図３】商品陳列棚の下面側に蛍光灯を架設したショーケース全体の構成図
【図４】図３における蛍光灯の取付け構造図で、（ａ）は側面図、（ｂ）は（ａ）の正面図
【図５】ライン型ＬＥＤ灯の外形図で、（ａ），（ｂ），（ｃ）はそれぞれ側面図、平面図，および斜視外形図
【図６】上下段に並ぶ商品陳列棚の下面側に架設したライン型ＬＥＤ灯を所望の取付角度に調整した状態図
【符号の説明】
【００１８】
５    商品陳列棚
１０    ライン型ＬＥＤ灯
１０ａ  角形フレーム
１０ｂ  ＬＥＤモジュール
１０ｃ  ＬＥＤ素子
１０ｄ  透光カバー
１１    ランプホルダー
１１ａ  Ｃ形リング体
１１ｂ  クリップ部
１１ｃ  ノッチ溝列
【図１】
2010158337.tif 000003
【図２】
2010158337.tif 000004
【図３】
2010158337.tif 000005
【図４】
2010158337.tif 000006
【図５】
2010158337.tif 000007
【図６】
2010158337.tif 000008